(57)【特許請求の範囲】
【請求項１】
コインを種類別に振り分けるコイン処理装置であって、
少なくとも第一コインと前記第一コインよりも厚さの厚い第二コインとを振り分ける振分部を備え、
前記振分部は、
前記コインの底面を支持するとともに、前記第一コイン又は前記第二コインの何れか一方を貫通させる第一選別穴が形成されたベースプレートと、
前記コインの側面を支持するとともに、前記ベースプレートに沿って前記コインを案内するガイドレールと、を備え、
前記ガイドレールは、
前記第一コインの厚さよりも幅が広く前記第二コインの厚さよりも幅が狭い内側ガイドレール部と、
前記内側ガイドレール部の前記ベースプレートとは反対側に配置される外側ガイドレール部と、を有し、
前記ガイドレールには、前記内側ガイドレール部のガイド面である内側レール面が、前記外側ガイドレール部のガイド面である外側レール面よりも、前記ガイドレールによる前記コインの支持方向における前記コインの支持側に位置する段差部が形成され、
前記第一選別穴は、前記ガイドレールによる前記コインの案内方向において前記段差部と同じ位置に形成され、
前記支持方向において、前記第一選別穴の前記支持側とは反対側である反支持側の先端は、前記内側レール面に前記第一コインの外径を加えた位置よりも前記支持側に位置し、
前記支持方向において、前記第一選別穴の前記支持側の先端は、前記内側レール面と前記外側レール面との間に位置する、
コイン処理装置。
【請求項２】
コインを種類別に振り分けるコイン処理装置であって、
少なくとも第一コインと前記第一コインよりも厚さの厚い第二コインとを振り分ける振分部を備え、
前記振分部は、
前記コインの底面を支持するとともに、前記第一コイン又は前記第二コインの何れか一方を貫通させる第一選別穴が形成されたベースプレートと、
前記コインの側面を支持するとともに、前記ベースプレートに沿って前記コインを案内するガイドレールと、を備え、
前記ガイドレールは、
前記第一コインの厚さよりも幅が広く前記第二コインの厚さよりも幅が狭い内側ガイドレール部と、
前記内側ガイドレール部の前記ベースプレートとは反対側に配置される外側ガイドレール部と、を有し、
前記ガイドレールには、前記内側ガイドレール部のガイド面である内側レール面が、前記外側ガイドレール部のガイド面である外側レール面よりも、前記ガイドレールによる前記コインの支持方向における前記コインの支持側に位置する段差部が形成され、
前記第一選別穴は、前記ガイドレールによる前記コインの案内方向において前記段差部と同じ位置に形成され、
前記支持方向において、前記第一選別穴の前記支持側の先端は、前記内側レール面及び前記外側レール面よりも前記支持側とは反対側である反支持側に位置し、
前記支持方向において、前記第一選別穴の前記反支持側の先端は、前記内側レール面に前記第一コインの外径を加えた位置よりも前記反支持側に位置し、前記外側レール面に前記第二コインの外径を加えた位置よりも前記支持側に位置する、
コイン処理装置。
【請求項３】
前記段差部では、前記外側レール面が隆起している、
請求項１又は２に記載のコイン処理装置。
【請求項４】
前記段差部では、前記内側レール面が沈降している、
請求項１又は２に記載のコイン処理装置。
【請求項５】
前記ベースプレートは、前記ベースプレートに対して前記ガイドレールの反対側に傾斜して配置されている、
請求項１〜４の何れか一項に記載のコイン処理装置。
【請求項６】
前記ベースプレートは、略水平に配置されている、
請求項１〜４の何れか一項に記載のコイン処理装置。
【請求項７】
前記ガイドレールに案内される前記コインを、前記ベースプレートに沿って前記案内方向に搬送する搬送装置を更に備える、
請求項１〜６のいずれか一項に記載のコイン処理装置。
【発明の詳細な説明】
【技術分野】
【０００１】
本発明は、コインを種類別に振り分けるコイン処理装置に関する。
【背景技術】
【０００２】
従来、硬貨等のコインを種類別に振り分けるコイン処理装置として、特許文献１及び２に記載された硬貨処理装置がある。この硬貨処理装置は、硬貨を種類に応じて振り分ける振分部を備えている。振分部は、硬貨を外径で振り分けできるように、対象とする硬貨を通すが、その硬貨よりも一回り以上大きい硬貨は通さない選別穴が形成されている。そして、選別穴は、対象とする硬貨の外径の小さいものから順に、硬貨が搬送される方向の上流から下流に向けて配列されている。
【先行技術文献】
【特許文献】
【０００３】
【特許文献１】特開２０１３−０３７５７２号公報
【特許文献２】特開平０７−０９３６３２号公報
【発明の概要】
【発明が解決しようとする課題】
【０００４】
このような硬貨処理装置は、振分対象とする硬貨の外径のみにより硬貨の種類を識別している。しかしながら、外国の硬貨の中には、異なる種類であっても外径が殆ど同じ硬貨もある。また、花形などの異形硬貨では、向きによって外径が異なる。例えば、２香港ドル硬貨は、花形の硬貨であり、その外径は、最小２７．１ｍｍ、最大２８．１ｍｍとなる。５香港ドル硬貨は、円形の硬貨であり、その外径は、最小２６．９ｍｍ、最大２７．１ｍｍである。つまり、２香港ドル硬貨の最大外径は５香港ドル硬貨の最大外径よりも大きいが、２香港ドル硬貨の最小外径は５香港ドル硬貨の最大外径と同じである。このため、５香港ドル硬貨用の選別穴から２香港ドル硬貨が落ちる可能性がある。
【０００５】
そこで、本発明者らは、鋭意研究を行った結果、硬貨の種類によって厚さが異なるため、この厚さの違いを利用することで、同じ外径の硬貨であっても種類別に振り分けることができるとの知見に至った。
【０００６】
そこで、本発明は、同じ外径の硬貨であっても種類別に振り分けることができるコイン処理装置を提供することを目的とする。
【課題を解決するための手段】
【０００７】
本発明に係るコイン処理装置は、コインを種類別に振り分けるコイン処理装置であって、少なくとも第一コインと第一コインよりも厚さの厚い第二コインとを振り分ける振分部を備え、振分部は、コインの底面を支持するとともに、第一コイン又は第二コインの何れか一方を貫通させる第一選別穴が形成されたベースプレートと、コインの側面を支持するとともに、ベースプレートに沿ってコインを案内するガイドレールと、を備え、ガイドレールは、第一コインの厚さよりも幅が広く第二コインの厚さよりも幅が狭い内側ガイドレール部と、内側ガイドレール部のベースプレートとは反対側に配置される外側ガイドレール部と、を有し、ガイドレールには、内側ガイドレール部のガイド面である内側レール面が、外側ガイドレール部のガイド面である外側レール面よりも、ガイドレールによるコインの支持方向におけるコインの支持側に位置する段差部が形成され、第一選別穴は、ガイドレールによるコインの案内方向において段差部と同じ位置に形成される。
【０００８】
本発明に係るコイン処理装置では、コインは、ガイドレールによりコインの側面が支持され、ベースプレートにより底面が支持される。段差部では、内側ガイドレール部の幅は、第一コインの厚さよりも広いため、第一コインは、外側ガイドレール部とベースプレートとの間に入り込み、内側レール面上を転がる。また、段差部では、内側ガイドレール部の幅は、第二コインの厚さよりも狭いため、第二コインは、外側ガイドレール部とベースプレートとの間に入り込むことができず、外側レール面上を転がる。このように、段差部で案内される第一コイン及び第二コインは、ガイドレールによる支持方向における支持位置が異なる。このため、第一コイン及び第二コインの外径が同じ又は略同じであっても、支持方向における第一選別穴の位置及び大きさを調整することで、第一コイン及び第二コインの何れか一方のみを第一選別穴から落とすことができる。
【０００９】
支持方向において、第一選別穴の支持側とは反対側である反支持側の先端は、内側レール面に第一コインの外径を加えた位置よりも支持側に位置し、支持方向において、第一選別穴の支持側の先端は、内側レール面と外側レール面との間に位置してもよい。このコイン処理装置では、第一選別穴の反支持側の先端は、内側ガイドレール部に案内されている第一コイン及び外側ガイドレール部に案内されている第二コインの反支持側の先端よりも支持側に位置する。このため、第一コイン及び第二コインの反支持側の先端部分は、ベースプレートに支持された状態が維持される。一方、第一選別穴の支持側の先端は、内側レール面と外側レール面との間に位置する。このため、第一コインの支持側の先端部分は、ベースプレートに支持された状態が維持されるが、第二コインの支持側の先端部分は、ベースプレートの支持から解放されて、第一選別穴に倒れ込むことが可能となる。これにより、第一選別穴から、第二コインのみを落とすことができる。
【００１０】
また、支持方向において、第一選別穴の支持側の先端は、内側レール面及び外側レール面よりも支持側とは反対側である反支持側に位置し、支持方向において、第一選別穴の反支持側の先端は、内側レール面に第一コインの外径を加えた位置よりも反支持側に位置し、外側レール面に第二コインの外径を加えた位置よりも支持側に位置してもよい。このコイン処理装置では、第一選別穴の支持側の先端は、内側レール面及び外側レール面よりも反支持側に位置する。このため、第一コイン及び第二コインの支持側の先端部分は、ベースプレートに支持された状態が維持される。一方、第一選別穴の反支持側の先端は、内側ガイドレール部に案内されている第一コインの反支持側の先端よりも反支持側に位置し、外側ガイドレール部に案内されている第二コインの反支持側の先端よりも支持側に位置する。このため、第二コインの反支持側の先端部分は、ベースプレートに支持された状態が保持されるが、第一コインの反支持側の先端部分は、ベースプレートの支持から解放されて、第一選別穴に倒れ込むことが可能となる。これにより、第一選別穴から、第一コインのみを落とすことができる。
【００１１】
また、段差部では、外側レール面が隆起していてもよい。このコイン処理装置では、段差部において、外側レール面が隆起しているため、内側レール面を直線状に形成しても、内側レール面を外側レール面よりも支持側に位置させることができる。
【００１２】
また、段差部では、内側レール面が沈降していてもよい。このコイン処理装置では、段差部において、内側レール面が沈降しているため、外側レール面を直線状に形成しても、内側レール面を外側レール面よりも支持側に位置させることができる。
【００１３】
また、ベースプレートは、ベースプレートに対してガイドレールの反対側に傾斜して配置されていてもよい。このコイン処理装置では、ベースプレートが、ベースプレートに対してガイドレールの反対側に傾斜して配置されているため、コインの自重により、コインを選別穴に落とすことができる。
【００１４】
また、ベースプレートは、略水平に配置されていてもよい。このコイン処理装置では、ベースプレートが略水平に配置されているため、ベースプレートの角度調整が楽に行えるとともに、ベースプレートの高さを低く抑えることができる。
【００１５】
また、ガイドレールに案内されるコインを、ベースプレートに沿って案内方向に搬送する搬送装置を更に備えてもよい。このコイン処理装置では、搬送装置によりコインを案内方向に搬送するため、コインの分離間隔を安定化させることができる。しかも、搬送装置によりコインが強制的にベースプレートに沿わされるため、ベースプレートに対してコインが浮くような場合であっても、コインを確実にベースプレートに沿わせることができるとともに、コインが自重により選別穴に落ちない場合であっても、コインを確実に選別穴に落とすことができる。
【発明の効果】
【００１６】
本発明によれば、同じ外径の硬貨であっても種類別に振り分けることができる。
【図面の簡単な説明】
【００１７】
【図１】実施形態に係るコイン処理装置の概略側面図である。
【図２】（ａ）は第一コインの正面図、（ｂ）は第一コインの側面図、（ｃ）は第二コインの正面図、（ｄ）は第二コインの側面図である。
【図３】第１の実施形態の振分部の概略側面図である。
【図４】第１の実施形態のガイドレール及びベースプレートの模式図である。
【図５】図４に示すＶ−Ｖ線における断面図である。
【図６】第２の実施形態のガイドレール及びベースプレートの模式図である。
【図７】図６に示すＶＩＩ−ＶＩＩ線における断面図である。
【図８】（ａ）は第１の実施形態の振分部の変形例を示す図であり、（ｂ）は第２の実施形態の振分部の変形例を示す図である。
【図９】（ａ）はベースプレート及びガイドレールが垂直に配置された例を示す図であり、（ｂ）はベースプレート及びガイドレールが水平に配置された例を示す図である。
【発明を実施するための形態】
【００１８】
以下、図面を参照して、本発明に係るコイン処理装置の実施形態を説明する。なお、各図において同一又は相当する要素については同一の符号を付し、重複する説明を省略する。
【００１９】
［コイン処理装置の全体構成］
本実施形態に係るコイン処理装置１は、自動券売機、自動販売機、金融の入出金機、ゲーム機等（以下、上位装置という。）に取り付けられる装置である。コイン処理装置１は、例えば、通貨としての硬貨、遊戯施設で用いるメダル等の様々なコインを処理することができるが、本実施形態では、特に、１香港ドル硬貨、１０香港ドル硬貨、２香港ドル硬貨及び５香港ドル硬貨を処理するものとして説明する（図４参照）。
【００２０】
まず、図１を参照して、本実施形態に係るコイン処理装置１の全体構成について簡単に説明する。図１は、実施形態に係るコイン処理装置の概略側面図である。コイン処理装置１は、投入部２と、繰出部３と、識別部４と、振分部５と、計数部６と、一時保留部７と、放出部８と、出金搬送部９と、出金口１０と、を備える。
【００２１】
投入部２は、上位装置の接客面に設けられており、利用者がコインを投入するためのスリット状の投入口が形成されている。このスリット状の投入口の幅寸法は、複数枚のコインの同時一括投入を許容するように、所定枚数のコインの厚さよりも僅かに大きく設定されている。
【００２２】
繰出部３は、複数枚投入されたコインを所定間隔で一枚ずつ分離して識別部４に繰り出すものである。繰出部３は、例えば、斜め円板かきあげ繰出式であって、繰出モータ回転モータや繰出回転検知センサ等を備える。繰出部３は、投入されたコインから硬貨以外の異物を分別して出金搬送部９に放出する。
【００２３】
識別部４は、繰出部３から繰り出されたコインが電子検銭方式で本物であるか否かを識別するものである。識別部４には、ゲート機構が設けられている。識別部４を通過したコインが本物ではないと判断された場合には、識別部４は、ゲートを開放して、そのコインを異物として出金搬送部９に放出する。
【００２４】
振分部５は、識別部４で本物であると識別されたコインを種類別に振り分けるものである。振分部５は、転がり搬送の外径選別方式を採用しており、コインの外径に応じて種類別に振り分ける。そして、振分部５は、少なくとも、第一コインである２香港ドル硬貨と、第一コインよりも厚さの厚い第二コインである５香港ドル硬貨と、を振り分けることが可能となっている。具体的には、振分部５は、１香港ドル硬貨、１０香港ドル硬貨、２香港ドル硬貨及び５香港ドル硬貨を振り分けることが可能となっている。
【００２５】
図２は、２香港ドル硬貨及び５香港ドル硬貨を示す図であり、（ａ）は２香港ドル硬貨の正面図、（ｂ）は２香港ドル硬貨の側面図、（ｃ）は５香港ドル硬貨の正面図、（ｄ）は５香港ドル硬貨の側面図である。図２に示すように、第一コインである２香港ドル硬貨Ｃ３は、花形の硬貨である。２香港ドル硬貨Ｃ３の外径ｄ１は、最小２７．１ｍｍ、最大２８．１ｍｍであり、２香港ドル硬貨Ｃ３の厚さｔ１は、２．０ｍｍである。第二コインである５香港ドル硬貨Ｃ４は、円形の硬貨である。５香港ドル硬貨Ｃ４の外径ｄ２は、最小２６．９ｍｍ、最大２７．１ｍｍであり、５香港ドル硬貨Ｃ４の厚さｔ２は、３．２ｍｍである。このように、２香港ドル硬貨Ｃ３と５香港ドル硬貨Ｃ４とは、外径が略同じであるが、厚さが異なる。このため、振分部５は、２香港ドル硬貨Ｃ３と５香港ドル硬貨Ｃ４との厚さの違いを利用して、２香港ドル硬貨Ｃ３と５香港ドル硬貨Ｃ４とを振り分ける。なお、振分部５の詳細については後述する。
【００２６】
図１に示すように、計数部６は、振分部５の下方に配置され、振分部５によって振り分けられたコインの種類別の枚数を計数する。計数部６は、例えば、板金の区画によるシュート状のものであり、振分部５により振り分けられシュート内を落下するコインを光検出センサで計数する。
【００２７】
一時保留部７は、計数部６の下方に配置され、振分部５により振り分けられたコインを種類毎に一時的に保留する。一時保留部７の下部には、収納シャッタ（不図示）が設けられており、収納シャッタが開かれることで、一時保留部７に保留されているコインが放出部８に供給される。また、一時保留部７では、上位装置において利用者が投入したコインの返却操作を行った場合には、保留しているコインを出金搬送部９に放出する。
【００２８】
放出部８は、一時保留部７の下方に配置され、一時保留部７から供給されたコインを種類毎に収納する。そして、放出部８は、出金時に、適宜な枚数のコインを出金搬送部９に放出する。
【００２９】
出金搬送部９は、コイン処理装置１において放出されたコインを出金口１０まで搬送する。出金搬送部９は、繰出部３、識別部４、一時保留部７及び放出部８から放出されたコインを受け止め、出金口１０まで搬送する。
【００３０】
出金口１０は、利用者にコインを返却するために、出金搬送部９で搬送されたコインを排出する。
【００３１】
［第１の実施形態］
次に、図２〜図５を参照して、第１の実施形態の振分部５について詳細に説明する。図３は、第１の実施形態の振分部の概略側面図である。図４は、第１の実施形態のガイドレール及びベースプレートの模式図である。図５は、図４に示すＶ−Ｖ線における断面図である。振分部５は、コインＣの底面ｃａを支持するとともに、コインＣを種類毎に貫通させる複数の選別穴２１，２２，２３，２４が形成されたベースプレート１１と、コインＣの側面ｃｂを支持するとともに、ベースプレート１１に沿ってコインＣを案内するガイドレール１２と、ベースプレート１１に沿ってコインＣを強制搬送する搬送装置１３と、を備える。
【００３２】
コインＣの底面ｃａとは、コインＣの対向する表裏面であり、コインＣの側面ｃｂとは、コインＣの外周面である。本実施形態では、ガイドレール１２によるコインＣの案内方向を、案内方向Ｇ”という。以下の説明では、特に説明する場合を除き、上流下流の方向は、案内方向Ｇにおける上流下流の方向をいうものとする。また、本実施形態では、ガイドレール１２によるコインＣの側面ｃｂの支持方向を、“支持方向Ｓ”という。支持方向Ｓは、コインＣに対するガイドレール１２とは反対側（図３及び図４の上側）の方向が前方となり、コインＣに対するガイドレール１２側（図３及び図４の下側）の方向が後方となる。そして、支持方向Ｓにおける後方側（図３及び図４における下方側）を、支持方向ＳにおけるコインＣの支持側といい、単に「支持側」又は「下方側」ともいう。また、支持方向Ｓにおける前方側（図３及び図４における上方側）を、支持側とは反対側である反支持側といい、単に「反支持側」又は「上方側」ともいう。
【００３３】
ベースプレート１１は、平板状に形成されており、ガイドレール１２と隣接されている。ベースプレート１１は、ベースプレート１１に対してガイドレール１２の反対側に傾斜して配置されている。このため、コインＣは、自重によりベースプレート１１にもたれかかり、ベースプレート１１は、コインＣの底面ｃａを支持する。ベースプレート１１の傾斜角度は、特に限定されないが、例えば、６５°とすることができる。
【００３４】
ベースプレート１１に形成される選別穴２１，２２，２３，２４は、上流側から下流側に向けて、小さい外径のコインＣから順次貫通させて振分部５から落下させる。最上流側に位置する選別穴２１は、１０香港ドル硬貨Ｃ１を振分部５から落とすための穴であり、その案内方向Ｇにおける寸法は、１０香港ドル硬貨Ｃ１の最大外径よりも大きい。選別穴２１の下流側に位置する選別穴２２は、１香港ドル硬貨Ｃ２を振分部５から落とすための穴であり、その案内方向Ｇにおける寸法は、１香港ドル硬貨Ｃ２の最大外径よりも大きい。選別穴２２の下流側に位置する選別穴２３は、第二コインである５香港ドル硬貨Ｃ４を振分部５から落とすための穴であり、その案内方向Ｇにおける寸法は、５香港ドル硬貨Ｃ４の最大外径よりも大きい。最下流側に位置する選別穴２４は、第一コインである２香港ドル硬貨Ｃ３を振分部５から落とすための穴であり、その案内方向Ｇにおける寸法は、２香港ドル硬貨Ｃ３の最大外径よりも大きい。なお、選別穴２１，２２，２３，２４の支持方向Ｓにおける位置及び大きさは、後述する。
【００３５】
ガイドレール１２は、略平板状に形成されており、ベースプレート１１と隣接されている。ガイドレール１２は、ベースプレート１１と同角度に傾斜して配置されている。このため、コインＣは、自重によりガイドレール１２に接触し、ガイドレール１２は、支持方向ＳにおいてコインＣの側面ｃｂを支持する。そして、ガイドレール１２は、コインＣがガイドレール１２上を転がることで、ベースプレート１１に沿ってコインＣを案内方向Ｇに案内する。
【００３６】
ガイドレール１２は、ベースプレート１１側に配置される内側ガイドレール部２６と、内側ガイドレール部２６のベースプレート１１とは反対側に配置される外側ガイドレール部２７と、を備える。
【００３７】
内側ガイドレール部２６は、平板状に形成されている。コインＣの側面ｃｂが接触する内側ガイドレール部２６のガイド面である内側レール面２６ａは、案内方向Ｇに沿って直線状に延びている。また、内側レール面２６ａは、コインＣが自重によっても案内方向Ｇに転がるように、下流側に向かって僅かに下方に傾斜している。内側ガイドレール部２６の幅は、２香港ドル硬貨Ｃ３の厚さよりも広く、且つ、５香港ドル硬貨Ｃ４の厚さよりも狭い。つまり、２香港ドル硬貨Ｃ３の厚さをｔ１，５香港ドル硬貨Ｃ４の厚さをｔ２、内側ガイドレール部２６の幅をｗ１とした場合、ｔ１，ｔ２及びｗ２は、ｔ１＜ｗ１＜ｔ２の関係となっている（図４及び図５参照）。
【００３８】
外側ガイドレール部２７は、平板状に形成されている。外側ガイドレール部２７の幅は、特に限定されるものではなく、適宜設定される。
【００３９】
そして、ガイドレール１２には、支持方向Ｓにおいて内側ガイドレール部２６と外側ガイドレール部２７とが異なる位置に位置する段差部２８が形成されている。具体的に説明すると、段差部２８では、内側レール面２６ａが、コインＣの側面ｃｂが接触する外側ガイドレール部２７のガイド面である外側レール面２７ａよりも、下方側（支持側）に位置している。ガイドレール１２の段差部２８以外の部分は、支持方向Ｓにおいて内側レール面２６ａと外側レール面２７ａとが同じ位置に位置し、支持方向Ｓにおいて内側レール面２６ａが外側レール面２７ａよりも上方側（反支持側）に位置し、又は、外側ガイドレール部２７が無い部位である。段差部２８は、案内方向Ｇにおいて選別穴２３と同じ位置に形成されている。つまり、選別穴２３は、案内方向Ｇにおいて段差部２８と同じ位置に形成されており、選別穴２１，２２，２４は、案内方向Ｇにおいて段差部２８と異なる位置に形成されている。
【００４０】
段差部２８では、外側レール面２７ａが上方側（反支持側）に隆起している。これにより、段差部２８では、内側レール面２６ａが外側レール面２７ａよりも下方側に位置する。段差部２８における内側レール面２６ａと外側レール面２７ａとの段差は、例えば、１〜２ｍｍとすることができる。
【００４１】
搬送装置１３は、支持方向Ｓにおいて並設された一対の搬送ベルト２９，２９によって、コインＣをベースプレート１１に押圧させつつベースプレート１１に沿って案内方向Ｇに強制搬送する。一対の搬送ベルト２９，２９は、モータ３０の回転駆動軸に固定された一対の駆動プーリ３１，３１と、コイン処理装置１の筐体に回転自在に設けられた一対の従動プーリ３２，３２と、に架け渡されている。駆動プーリ３１，３１は、支持方向Ｓにおいて並設されている。そして、駆動プーリ３１，３１は、案内方向Ｇ及び支持方向Ｓにおいて選別穴２４と同じ位置、すなわち、側面視において選別穴２４と同じ位置に配置されている。従動プーリ３２，３２は、支持方向Ｓにおいて並設されており、選別穴２１よりも上流側に配置されている。また、駆動プーリ３１，３１と従動プーリ３２，３２との間には、一対の第一搬送ローラ３３，３３と、一対の第二搬送ローラ３４，３４と、一対の第三搬送ローラ３５，３５と、が配置されている。第一搬送ローラ３３，３３、第二搬送ローラ３４，３４及び第三搬送ローラ３５，３５には、それぞれ搬送ベルト２９，２９が掛け渡されており、それぞれ、案内方向Ｇ及び支持方向Ｓにおいて選別穴２１，２２，２３と同じ位置、すなわち、側面視において選別穴２１，２２，２３と同じ位置に配置されている。
【００４２】
次に、選別穴２１，２２，２３，２４の支持方向Ｓにおける位置及び大きさについて説明する。
【００４３】
支持方向Ｓにおける選別穴２１の位置は、１０香港ドル硬貨Ｃ１を落下させることができるが、１香港ドル硬貨Ｃ２、５香港ドル硬貨Ｃ４及び２香港ドル硬貨Ｃ３を落下させることができない位置となっている。すなわち、支持方向Ｓにおいて、選別穴２１の下方側（支持側）の先端である下端２１ａは、内側レール面２６ａよりも上方側（反支持側）に位置する。支持方向Ｓにおいて、選別穴２１の上方側（反支持側）の先端である上端２１ｂは、内側レール面２６ａに１０香港ドル硬貨Ｃ１の外径を加えた位置よりも上方側（反支持側）に位置し、且つ、内側レール面２６ａに１香港ドル硬貨Ｃ２、５香港ドル硬貨Ｃ４又は２香港ドル硬貨Ｃ３の外径を加えた位置よりも下方側（支持側）に位置する。内側レール面２６ａに１０香港ドル硬貨Ｃ１の外径を加えた位置とは、内側ガイドレール部２６に案内されている１０香港ドル硬貨Ｃ１の上端位置（反支持側の先端位置）である。なお、選別穴２１の下端２１ａを、内側ガイドレール部２６に案内されている１０香港ドル硬貨Ｃ１の重心位置よりも下方側（支持側）に位置することで、１０香港ドル硬貨Ｃ１を自重により選別穴２１から落とすことができる。
【００４４】
支持方向Ｓにおける選別穴２２の位置は、１香港ドル硬貨Ｃ２を落下させることができるが、５香港ドル硬貨Ｃ４及び２香港ドル硬貨Ｃ３を落下させることができない位置となっている。すなわち、支持方向Ｓにおいて、選別穴２２の下方側（支持側）の先端である下端２２ａは、内側レール面２６ａよりも上方側（反支持側）に位置する。支持方向Ｓにおいて、選別穴２２の上方側（反支持側）の先端である上端２２ｂは、内側レール面２６ａに１香港ドル硬貨Ｃ２の外径を加えた位置よりも上方側（反支持側）に位置し、且つ、内側レール面２６ａに５香港ドル硬貨Ｃ４又は２香港ドル硬貨Ｃ３の外径を加えた位置よりも下方側（支持側）に位置する。内側レール面２６ａに１香港ドル硬貨Ｃ２の外径を加えた位置とは、内側ガイドレール部２６に案内されている１香港ドル硬貨Ｃ２の上端位置（反支持側の先端位置）である。なお、選別穴２２の下端２２ａを、内側ガイドレール部２６に案内されている１香港ドル硬貨Ｃ２の重心位置よりも下方側（支持側）に位置することで、１香港ドル硬貨Ｃ２を自重により選別穴２２から落とすことができる。
【００４５】
支持方向Ｓにおける選別穴２３の位置は、５香港ドル硬貨Ｃ４を落下させることができるが、２香港ドル硬貨Ｃ３を落下させることができない位置となっている。すなわち、支持方向Ｓにおいて、選別穴２３の下方側（支持側）の先端である下端２３ａは、内側レール面２６ａと外側レール面２７ａとの間に位置する。支持方向Ｓにおいて、選別穴２３の上方側（反支持側）の先端である上端２３ｂは、内側レール面２６ａに２香港ドル硬貨Ｃ３の外径を加えた位置よりも上方側（反支持側）、且つ、外側レール面２７ａに５香港ドル硬貨Ｃ４の外径を加えた位置よりも上方側（反支持側）に位置する。内側レール面２６ａに２香港ドル硬貨Ｃ３の外径を加えた位置とは、内側ガイドレール部２６に案内されている２香港ドル硬貨Ｃ３の上端位置（反支持側の先端位置）である。また、外側レール面２７ａに５香港ドル硬貨Ｃ４の外径を加えた位置とは、外側ガイドレール部２７に案内されている５香港ドル硬貨Ｃ４の上端位置（反支持側の先端位置）である。なお、選別穴２３の上端２３ｂを、外側ガイドレール部２７に案内されている５香港ドル硬貨Ｃ４の重心位置よりも上方側（反支持側）に位置することで、５香港ドル硬貨Ｃ４を自重により選別穴２３から落とすことができる。
【００４６】
支持方向Ｓにおける選別穴２４の位置は、２香港ドル硬貨Ｃ３を落下させることができる位置となっている。すなわち、支持方向Ｓにおいて、選別穴２４の下方側（支持側）の先端である下端２４ａは、内側レール面２６ａよりも上方側（反支持側）に位置する。支持方向Ｓにおいて、選別穴２４の上方側（反支持側）の先端である上端２４ｂは、内側レール面２６ａに２香港ドル硬貨Ｃ３の外径を加えた位置よりも上方側（反支持側）に位置する。内側レール面２６ａに２香港ドル硬貨Ｃ３の外径を加えた位置とは、内側ガイドレール部２６に案内されている２香港ドル硬貨Ｃ３の上端位置（反支持側の先端位置）である。なお、選別穴２４の下端２４ａを、内側ガイドレール部２６に案内されている２香港ドル硬貨Ｃ３の重心位置よりも下方側（支持側）に位置することで、２香港ドル硬貨Ｃ３を自重により選別穴２４から落とすことができる。
【００４７】
次に、振分部５の動作について説明する。
【００４８】
識別部４において本物であると識別されたコインＣが振分部５に転がり込むと、コインＣの自重により、コインＣの底面ｃａがベースプレート１１に接触するとともに、コインＣの側面ｃｂがガイドレール１２に接触する。そして、コインＣは、ベースプレート１１により案内方向Ｇに摺動案内されるとともに、ガイドレール１２により案内方向Ｇに転動案内される。また、搬送装置１３は、モータ３０の回転駆動力により駆動プーリ３１，３１が回転することにより、搬送ベルト２９，２９が回転する。これにより、コインＣは、搬送ベルト２９，２９により、ベースプレート１１に押圧された状態でベースプレート１１に沿って案内方向Ｇに強制搬送される。また、コインＣは、搬送ベルト２９，２９により、繰出部３により所定間隔で一枚ずつ分離されたコインＣの分離間隔を維持したまま、案内方向Ｇに強制搬送される。
【００４９】
１０香港ドル硬貨Ｃ１は、選別穴２１まで転がると、１０香港ドル硬貨Ｃ１の上端部分から選別穴２１に倒れ込むことで、選別穴２１を貫通して振分部５から落ちる。１香港ドル硬貨Ｃ２は、選別穴２２まで転がると、１香港ドル硬貨Ｃ２の上端部分から選別穴２２に倒れ込むことで、選別穴２２を貫通して振分部５から落ちる。５香港ドル硬貨Ｃ４及び２香港ドル硬貨Ｃ３は、上端部分及び下端部分がベースプレート１１よる支持が継続されることにより、選別穴２１及び選別穴２２を通り過ぎて、段差部２８まで転がる。
【００５０】
ここで、コインＣが案内方向Ｇに案内されている間は、重力及び搬送ベルト２９，２９の押圧によりコインＣの底面ｃａがベースプレート１１に接触した状態が維持される。
【００５１】
しかしながら、内側ガイドレール部２６の幅ｗ１は、５香港ドル硬貨Ｃ４の厚さｔ２よりも狭いため、５香港ドル硬貨Ｃ４は、ベースプレート１１と外側ガイドレール部２７との間に入り込むことができない。このため、５香港ドル硬貨Ｃ４は、段差部２８では、外側レール面２７ａ上を転がる。そして、選別穴２３の下端２３ａは、外側レール面２７ａよりも下方側に位置する。このため、外側レール面２７ａ上を転がる５香港ドル硬貨Ｃ４は、下端部分が外側レール面２７ａから滑り落ちることで、選別穴２３を貫通して振分部５から落ちる。
【００５２】
一方、内側ガイドレール部２６の幅ｗ１は、２香港ドル硬貨Ｃ３の厚さｔ１よりも広いため、２香港ドル硬貨Ｃ３は、ベースプレート１１と外側ガイドレール部２７との間に入り込む。このため、２香港ドル硬貨Ｃ３は、段差部２８では、内側レール面２６ａ上を転がる。そして、選別穴２３の下端２３ａは、内側レール面２６ａよりも上方側に位置し、選別穴２３の上端２３ｂは、内側ガイドレール部２６に案内されている２香港ドル硬貨Ｃ３の上端位置よりも下方側に位置する。このため、２香港ドル硬貨Ｃ３は、上端部分及び下端部分がベースプレート１１に支持された状態が維持されて、選別穴２３を通り過ぎる。
【００５３】
そして、選別穴２４の上端２４ｂは、内側ガイドレール部２６に案内されている２香港ドル硬貨Ｃ３の上端位置よりも上方側に位置する。このため、２香港ドル硬貨Ｃ３は、選別穴２４まで転がると、上端部分から選別穴２４に倒れ込むことで、選別穴２４を貫通して振分部５から落ちる。
【００５４】
このように、本実施形態に係るコイン処理装置１では、コインＣは、ガイドレール１２によりコインＣの側面ｃｂが支持され、ベースプレート１１により底面ｃａが支持される。段差部２８では、内側ガイドレール部２６の幅は、第一コインである２香港ドル硬貨Ｃ３の厚さよりも広いため、２香港ドル硬貨Ｃ３は、外側ガイドレール部２７とベースプレート１１との間に入り込み、内側レール面２６ａ上を転がる。また、段差部２８では、内側ガイドレール部の幅は、第二コインである５香港ドル硬貨Ｃ４の厚さよりも狭いため、５香港ドル硬貨Ｃ４は、外側ガイドレール部とベースプレートとの間に入り込むことができず、外側レール面２７ａ上を転がる。このように、段差部２８で案内される２香港ドル硬貨Ｃ３及び５香港ドル硬貨Ｃ４は、支持方向Ｓにおける支持位置が異なる。このため、２香港ドル硬貨Ｃ３及び５香港ドル硬貨Ｃ４の外径が同じ又は略同じであっても、支持方向Ｓにおける選別穴２３の位置及び大きさを調整することで、２香港ドル硬貨Ｃ３及び５香港ドル硬貨Ｃ４の何れか一方のみを選別穴２３から落とすことができる。
【００５５】
具体的には、選別穴２３の上端２３ｂは、内側ガイドレール部２６に案内されている２香港ドル硬貨Ｃ３及び外側ガイドレール部２７に案内されている５香港ドル硬貨Ｃ４の上端位置よりも下方側に位置する。このため、２香港ドル硬貨Ｃ３及び５香港ドル硬貨Ｃ４の上端部分は、ベースプレート１１に支持された状態が維持される。一方、選別穴２３の下端２３ａは、内側レール面２６ａと外側レール面２７ａとの間に位置する。このため、２香港ドル硬貨Ｃ３の下端部分は、ベースプレート１１に支持された状態が維持されるが、５香港ドル硬貨Ｃ４の下端部分は、ベースプレート１１の支持から解放されて、選別穴２３に倒れ込むことが可能となる。これにより、選別穴２３から、５香港ドル硬貨Ｃ４のみを落とすことができる。
【００５６】
また、段差部２８において、外側レール面２７ａが隆起しているため、内側レール面２６ａを直線状に形成しても、内側レール面２６ａを外側レール面２７ａよりも下方側に位置させることができる。
【００５７】
また、ベースプレート１１が、ベースプレート１１に対してガイドレール１２の反対側に傾斜して配置されているため、コインＣの自重により、コインＣを選別穴２１，２２，２３，２４に落とすことができる。
【００５８】
また、搬送装置１３によりコインＣを案内方向Ｇに搬送するため、コインＣの分離間隔を安定化させることができる。しかも、搬送装置１３によりコインＣが強制的にベースプレート１１に沿わされるため、ベースプレート１１に対してコインＣが浮くような場合であっても、コインＣを確実にベースプレート１１に沿わせることができるとともに、コインＣが自重により選別穴２１，２２，２３，２４に落ちない場合であっても、コインＣを確実に選別穴２１，２２，２３，２４に落とすことができる。
【００５９】
［第２の実施形態］
次に、図６及び図７を参照して、第２の実施形態の振分部について説明する。第２の実施形態は、基本的に第１の実施形態と同様であり、振分部のベースプレー及びガイドレールの形状のみ、第１の実施形態と相違する。このため、以下では、第１の実施形態と相違する事項のみを説明する。
【００６０】
図６は、第２の実施形態のガイドレール及びベースプレートの模式図である。図７は、図６に示すＶＩＩ−ＶＩＩ線における断面図である。第２の実施形態に係るコイン処理装置の振分部４０は、第１の実施形態のベースプレート１１に対応するベースプレート４１と、第１の実施形態のガイドレール１２に対応するガイドレール４２と、第１の実施形態と同じ搬送装置１３と、を備える。
【００６１】
ベースプレート４１には、コインＣを種類毎に貫通させる複数の選別穴２１，２２，４３，４４が形成されている。選別穴２２の下流側に位置する選別穴４３は、第一コインである２香港ドル硬貨Ｃ３を振分部５から落とすための穴であり、その案内方向Ｇにおける寸法は、２香港ドル硬貨Ｃ３の最大外径よりも大きい。最下流側に位置する選別穴４４は、第二コインである５香港ドル硬貨Ｃ４を振分部５から落とすための穴であり、その案内方向Ｇにおける寸法は、５香港ドル硬貨Ｃ４の最大外径よりも大きい。なお、選別穴４３，４４の支持方向Ｓにおける位置及び大きさは、後述する。
【００６２】
ガイドレール４２は、ベースプレート４１側に配置される内側ガイドレール部４７と、内側ガイドレール部４７のベースプレート４１とは反対側に配置される外側ガイドレール部４８と、を備える。
【００６３】
内側ガイドレール部４７は、平板状に形成されている。コインＣの側面ｃｂが接触する内側ガイドレール部４７のガイド面である内側レール面４７ａは、コインＣが自重によっても案内方向Ｇに転がるように、下流側に向かって僅かに下方に傾斜している。内側ガイドレール部４７の幅は、第１の実施形態の内側ガイドレール部２６の幅と同様である。
【００６４】
外側ガイドレール部４８は、平板状に形成されている。コインＣの側面ｃｂが接触する外側ガイドレール部４８のガイド面である外側レール面４８ａは、コインＣが自重によっても案内方向Ｇに転がるように、下流側に向かって僅かに下方に傾斜している。外側ガイドレール部４８の幅は、特に限定されるものではなく、適宜設定される。
【００６５】
そして、ガイドレール４２には、支持方向Ｓにおいて内側ガイドレール部４７と外側ガイドレール部４８とが異なる位置に位置する段差部４９が形成されている。具体的に説明すると、段差部４９では、内側レール面４７ａが外側レール面４８ａよりも下方側（支持側）に位置している。ガイドレール４２の段差部４９以外の部分は、支持方向Ｓにおいて内側レール面４７ａと外側レール面４８ａとが同じ位置に位置し、支持方向Ｓにおいて内側レール面４７ａが外側レール面４８ａよりも上方側（反支持側）に位置し、又は、外側ガイドレール部４８が無い部位である。段差部４９は、案内方向Ｇにおいて選別穴４３と同じ位置に形成されている。つまり、選別穴４３は、案内方向Ｇにおいて段差部４９と同じ位置に形成されており、選別穴２１，２２，４４は、案内方向Ｇにおいて段差部４９と異なる位置に形成されている。
【００６６】
段差部４９では、内側ガイドレール部４７が下方側（支持側）に沈降している。これにより、段差部４９では、内側レール面４７ａが外側レール面４８ａよりも下方側に位置する。段差部４９における内側レール面４７ａと外側レール面４８ａとの段差は、例えば、２〜３ｍｍとすることができる。
【００６７】
次に、選別穴４３，４４の支持方向Ｓにおける位置及び大きさについて説明する。
【００６８】
支持方向Ｓにおける選別穴４３の位置は、２香港ドル硬貨Ｃ３を落下させることができるが、５香港ドル硬貨Ｃ４を落下させることができない位置となっている。すなわち、選別穴４３の下方側（支持側）の先端である下端４３ａは、内側レール面４７ａ及び外側レール面４８ａよりも上方側（反支持側）に位置する。選別穴４３の上方側（反支持側）の先端である上端４３ｂは、内側レール面４７ａに２香港ドル硬貨Ｃ３の外径を加えた位置よりも上方側（反支持側）、且つ、外側レール面４８ａに５香港ドル硬貨Ｃ４の外径を加えた位置よりも下方側（支持側）に位置する。内側レール面４７ａに２香港ドル硬貨Ｃ３の外径を加えた位置とは、内側ガイドレール部４７に案内されている２香港ドル硬貨Ｃ３の上端位置（反支持側の先端位置）である。また、外側レール面４８ａに５香港ドル硬貨Ｃ４の外径を加えた位置とは、外側ガイドレール部４８に案内されている５香港ドル硬貨Ｃ４の上端位置（反支持側の先端位置）である。なお、選別穴４３の下端４３ａを、内側ガイドレール部４７に案内されている２香港ドル硬貨Ｃ３の重心位置よりも下方側（支持側）に位置することで、２香港ドル硬貨Ｃ３を自重により選別穴４３から落とすことができる。
【００６９】
支持方向Ｓにおける選別穴４４の位置は、５香港ドル硬貨Ｃ４を落下させることができる位置となっている。すなわち、選別穴４４の下方側（支持側）の先端である下端４４ａは、内側レール面４７ａよりも上方側（反支持側）に位置する。選別穴４４の上方側（反支持側）の先端である上端４４ｂは、内側レール面４７ａに５香港ドル硬貨Ｃ４の外径を加えた位置よりも上方側（反支持側）に位置する。内側レール面４７ａに５香港ドル硬貨Ｃ４の外径を加えた位置とは、内側ガイドレール部４７に案内されている５香港ドル硬貨Ｃ４の上端位置（反支持側の先端位置）である。なお、選別穴４４の下端４４ａを、内側ガイドレール部４７に案内されている５香港ドル硬貨Ｃ４の重心位置よりも下方側（支持側）に位置することで、５香港ドル硬貨Ｃ４を自重により選別穴４４から落とすことができる。
【００７０】
次に、振分部４０の動作について説明する。
【００７１】
第１の実施形態と同様に、１０香港ドル硬貨Ｃ１及び１香港ドル硬貨Ｃ２は、それぞれ、選別穴２１及び選別穴２２を貫通して振分部４０から落ち、２香港ドル硬貨Ｃ３及び５香港ドル硬貨Ｃ４は選別穴２１及び選別穴２２を通り過ぎて、段差部４９まで転がる。
【００７２】
上述したように、内側ガイドレール部４７の幅ｗ１は、２香港ドル硬貨Ｃ３の厚さｔ１よりも広いため、２香港ドル硬貨Ｃ３は、ベースプレート１１と外側ガイドレール部４８との間に入り込む。このため、２香港ドル硬貨Ｃ３は、段差部４９では、内側レール面４７ａ上を転がる。そして、選別穴４３の上端４３ｂは、内側ガイドレール部４７に案内されている２香港ドル硬貨Ｃ３の上端位置よりも上方側に位置する。このため、２香港ドル硬貨Ｃ３は、上端部分から選別穴４３に倒れ込むことで、選別穴４３を貫通して振分部４０から落ちる。
【００７３】
一方、内側ガイドレール部４７の幅ｗ１は、５香港ドル硬貨Ｃ４の厚さｔ２よりも狭いため、５香港ドル硬貨Ｃ４は、ベースプレート４１と外側ガイドレール部４８との間に入り込むことができない。このため、５香港ドル硬貨Ｃ４は、段差部４９では、外側レール面４８ａ上を転がる。そして、選別穴４３の下端４３ａは、内側レール面４７ａよりも上方側に位置し、選別穴４３の上端４３ｂは、外側ガイドレール部４８に案内されている５香港ドル硬貨Ｃ４の上端位置よりも下方側に位置する。このため、５香港ドル硬貨Ｃ４は、上端部分及び下端部分がベースプレート４１に支持された状態が維持されて、選別穴４３を通り過ぎる。
【００７４】
そして、選別穴４４の上端４４ｂは、外側ガイドレール部４８に案内されている５香港ドル硬貨Ｃ４の上端位置よりも上方側に位置する。このため、５香港ドル硬貨Ｃ４は、上端部分から選別穴４４に倒れ込むことで、選別穴４４を貫通して振分部４０から落ちる。
【００７５】
このように、本実施形態では、選別穴４３の下端４３ａは、内側レール面４７ａ及び外側レール面４８ａよりも上方側に位置する。このため、２香港ドル硬貨Ｃ３及び５香港ドル硬貨Ｃ４の下端部分は、ベースプレート４１に支持された状態が維持される。一方、選別穴４３の上端４３ｂは、内側ガイドレール部４７に案内されている２香港ドル硬貨Ｃ３の上端位置よりも上方側に位置し、外側ガイドレール部４８に案内されている５香港ドル硬貨Ｃ４の上端位置よりも下方側に位置する。このため、５香港ドル硬貨Ｃ４の上端部分は、ベースプレート４１に支持された状態が保持されるが、２香港ドル硬貨Ｃ３の上端部分は、ベースプレート４１の支持から解放されて、選別穴４３に倒れ込むことが可能となる。これにより、選別穴４３から、２香港ドル硬貨Ｃ３のみを落とすことができる。
【００７６】
また、段差部４９において、内側レール面４７ａが沈降しているため、外側ガイドレール部４８を直線状に形成しても、内側レール面４７ａを外側レール面４８ａよりも下方側に位置させることができる。
【００７７】
以上、本発明の好適な実施形態について説明したが、本発明は上記実施形態に限定されるものではない。
【００７８】
例えば、上記実施形態において、３番目の選別穴（選別穴２３又は選別穴４３）に対応する位置にのみ段差部を形成するものとして説明したが、４番目の選別穴（選別穴２４又は選別穴４４）に対応する位置まで段差部を形成してもよい。例えば、図８の（ａ）に示す例は、第１の実施形態の振分部の変形例であり、外側ガイドレール部５２が上方側に隆起していることで、内側ガイドレール部５１の内側レール面５１ａが外側ガイドレール部５２の外側レール面５２ａよりも下方側に位置している。この場合、４番目の選別穴５３の上端を、内側レール面５１ａに２香港ドル硬貨Ｃ３の外径を加えた位置よりも上方側に位置することで、選別穴５３に２香港ドル硬貨Ｃ３を落とすことができる。図８の（ｂ）に示す例は、第２の実施形態の振分部の変形例であり、内側ガイドレール部６１が下方側に沈降していることで、内側ガイドレール部６１の内側レール面６１ａが外側ガイドレール部６２の外側レール面６２ａよりも下方側に位置している。この場合、４番目の選別穴６３の上端を、外側レール面６２ａに５香港ドル硬貨Ｃ４の外径を加えた位置よりも上方側に位置することで、選別穴６３に５香港ドル硬貨Ｃ４を落とすことができる。
【００７９】
また、上記実施形態では、ベースプレート及びガイドレールは、傾斜して配置されるものとして説明したが、図９の（ａ）に示すように、垂直又は略垂直に配置されてもよく、図９の（ｂ）に示すように、水平又は略水平に配置されてもよい。図９の（ｂ）に示すコイン処理装置では、ベースプレートが略水平に配置されているため、ベースプレートの角度調整が楽に行えるとともに、ベースプレートの高さを低く抑えることができる。図９の（ａ）に示す場合は、コインの底面がベースプレートから浮くことによりコインが選別穴から落ちない可能性があるため、搬送装置によりコインをベースプレートに押圧することが好ましい。図９の（ｂ）に示す場合は、コインが案内方向に転がらないため、搬送装置によりコインを案内方向に強制搬送することが好ましい。また、図９の（ｂ）に示す場合は、コインの側面がガイドレールから浮く可能性があるため、搬送装置または板ばねなどの押圧部材により、コインをガイドレールに寄せることが好ましい。
【００８０】
また、上記実施形態では、搬送装置を備えるものとして説明したが、ベースプレートによりコインの底面が支持され、ガイドレールによりコインの側面が支持され、コインが案内方向に案内されれば、搬送装置を備えなくてもよい。
【符号の説明】
【００８１】
１…コイン処理装置、２…投入部、３…繰出部、４…識別部、５…振分部、６…計数部、７…一時保留部、８…放出部、９…出金搬送部、１０…出金口、１１…ベースプレート、１２…ガイドレール、１３…搬送装置、２１…選別穴、２１ａ…下端、２１ｂ…上端、２２…選別穴、２２ａ…下端、２２ｂ…上端、２３…選別穴（第一識別穴）、２３ａ…下端（支持側の先端）、２３ｂ…上端（反支持側の先端）、２４…選別穴、２４ａ…下端（支持側の先端）、２４ｂ…上端（反支持側の先端）、２６…内側ガイドレール部、２６ａ…内側レール面、２７…外側ガイドレール部、２７ａ…外側レール面、２８…段差部、２９…搬送ベルト、３０…モータ、３１…駆動プーリ、３２…従動プーリ、３３…第一搬送ローラ、３４…第二搬送ローラ、３５…第三搬送ローラ、４０…振分部、４１…ベースプレート、４２…ガイドレール、４３…選別穴（第一識別穴）、４３ａ…下端（支持側の先端）、４３ｂ…上端（反支持側の先端）、４４…選別穴、４４ａ…下端（支持側の先端）、４４ｂ…上端（反支持側の先端）、４７…内側ガイドレール部、４７ａ…内側レール面、４８…外側ガイドレール部、４８ａ…外側レール面、４９…段差部、５１…内側ガイドレール部、５１ａ…内側レール面、５２…外側ガイドレール部、５２ａ…外側レール面、５３…選別穴、６１…内側ガイドレール部、６１ａ…内側レール面、６２…外側ガイドレール部、６２ａ…外側レール面、６３…選別穴、Ｃ…コイン、Ｃ１…１０香港ドル硬貨、Ｃ２…１香港ドル硬貨、Ｃ３…２香港ドル硬貨、Ｃ４…５香港ドル硬貨、ｃａ…底面、ｃｂ…側面、Ｇ…案内方向、Ｓ…支持方向。
【図１】
0006404651.tif 000002
【図２】
0006404651.tif 000003
【図３】
0006404651.tif 000004
【図４】
0006404651.tif 000005
【図５】
0006404651.tif 000006
【図６】
0006404651.tif 000007
【図７】
0006404651.tif 000008
【図８】
0006404651.tif 000009
【図９】
0006404651.tif 000010